(57)【要約】【課題】パーソナルコンピュータを多重化ＬＡＮ系統とネットワーク接続するのに、必要スロット数を削減する。【解決手段】パーソナルコンピュータ１１は、それに実装されるネットワークポート１１Ａに１枚のＮＩＣを実装する。回線切換器１２は、ネットワークポート１１ＡのＮＩＣとネットワークケーブルで接続するコンピュータ接続用ポート１２Ａと、Ｎ系統のＬＡＮとＮ本のネットワークケーブルでそれぞれ接続するネットワーク接続用ポート１２Ｂ１〜１２ＢＮを設ける。パーソナルコンピュータの１枚のＮＩＣにはＮ個のＭＡＣアドレスを持たせ、１つの物理的ネットワークポートを持たせる。回線切換器は、ネットワーク接続用ポートは、それぞれ固有のＭＡＣアドレスを設定し、各ネットワーク系統との接続に使用する。【選択図】　図１
2004080284.tif 000002
【特許請求の範囲】
【請求項１】
パーソナルコンピュータとその入出力装置や制御対象設備・機器間を複数系統のＬＡＮで接続する多重化ＬＡＮシステムにおいて、
前記パーソナルコンピュータは、そのバススロットに複数のＭＡＣアドレスをもつ１つのネットワークインタフェースカードを設けて１つの物理的ネットワークポートを振り分け、
前記ネットワークインタフェースカードに接続するコンピュータ接続用ポートと、前記複数系統に固有のＭＡＣアドレスを設定してネットワーク接続するポートをもつ回線切換器を設けたことを特徴とする多重化ＬＡＮシステム。
【発明の詳細な説明】
【０００１】
【発明の属する技術分野】
本発明は、コンピュータとその入出力装置や制御対象設備・機器間を複数系統のＬＡＮ（ローカル・エリア・ネットワーク）で接続する多重化ＬＡＮシステムに関する。
【０００２】
【従来の技術】
この種のシステムは、例えば、図３に示す構成の監視制御システムがあり、監視制御用コンピュータ１からＬＡＮ２を介して監視制御対象群３との監視制御情報の伝送を行う。
【０００３】
このシステムにおいては、ＬＡＮ２を多重化することにより、監視制御対象との間の情報伝送の信頼性を高める。また、ネットワークトラフィックに関する問題から、監視制御系ＬＡＮ２とは分離させて、ネットワーク４、ディスプレイやプリンタ等の入出力装置５との間の情報伝送のためのＯＡ（オフィスオートメーション）系ＬＡＮ６とする傾向にある。また、パーソナルコンピュータの高性能化に伴い、監視制御用コンピュータ１としてパーソナルコンピュータを使用する場合が増加している。
【０００４】
【発明が解決しようとする課題】
前記のように、監視制御用コンピュータ１を、多重化された監視制御系ＬＡＮ２やＯＡ系ＬＡＮ６に接続するには、ＬＡＮ系統数分のネットワークインタフェースカード（ＮＩＣ）が必要となる。
【０００５】
このＮＩＣは、コンピュータのＩＳＡバスまたはＰＣＩバスに実装されるため、ＬＡＮ系統数分のバスを占有してしまうのに対して、現在のパーソナルコンピュータの多くが上記のバスの合計スロット数が５〜６程度である。これは、他の上記のバスに接続するカードも含めると、少なすぎるスロット数となる。
【０００６】
また、現在の主流であるパーソナルコンピュータの入出力には関するハードウェア割り込み点数は少ない。ＰＣＩバス接続のＮＩＣでは、割り込み共有の技術を利用し、割り込み点数の節約を図るものもあるが、ＮＩＣメーカ、機種間での割り込み共有の制約があるため、将来にわたって代替品確保の必要のある監視制御用コンピュータでは、短期的には有効であるが、長期的には全ＮＩＣの一括交換といった不都合が生じる。
【０００７】
また、ＮＩＣは、コンピュータのバスに実装されるため、コンピュータ筺体の背面にＬＡＮ系統数分の多数のネットワーク接続ケーブルが敷設され、そのスペース確保の問題や保守／点検に問題があった。
【０００８】
本発明の目的は、上記の課題を解決した多重化ＬＡＮシステムを提供することにある。
【０００９】
【課題を解決するための手段】
本発明は、前記の課題を解決するため、パーソナルコンピュータにはそのバススロットに複数のＭＡＣアドレスをもつ１つのＮＩＣを設けて１つの物理的ネットワークポートを振り分け、これに接続するコンピュータ接続用ポートと複数のネットワーク接続用ポートをもつ回線切換器を設け、各コンピュータ接続用ポートには固有のＭＡＣアドレスを設定するようにしたもので、以下の構成を特徴とする。
【００１０】
パーソナルコンピュータとその入出力装置や制御対象設備・機器間を複数系統のＬＡＮで接続する多重化ＬＡＮシステムにおいて、
前記パーソナルコンピュータは、そのバススロットに複数のＭＡＣアドレスをもつ１つのネットワークインタフェースカードを設けて１つの物理的ネットワークポートを振り分け、
前記ネットワークインタフェースカードに接続するコンピュータ接続用ポートと、前記複数系統に固有のＭＡＣアドレスを設定してネットワーク接続するポートをもつ回線切換器を設けたことを特徴とする。
【００１１】
【発明の実施の形態】
図１は、本発明の実施形態を示す多重化ＬＡＮシステムの要部結線図である。監視制御用コンピュータとして使用されるパーソナルコンピュータ１１は、それに実装されるネットワークポート１１Ａに１枚のＮＩＣを実装する。
【００１２】
回線切換器１２は、ネットワークポート１１ＡのＮＩＣとネットワークケーブルで接続するコンピュータ接続用ポート１２Ａと、Ｎ系統のＬＡＮとＮ本のネットワークケーブルでそれぞれ接続するネットワーク接続用ポート１２Ｂ１〜１２ＢＮを設ける。
【００１３】
以上の構成において、図２に伝送処理模式図を示すように、パーソナルコンピュータ１１の１枚のＮＩＣにはＮ個のＭＡＣ（Ｍｅｄｉａ　Ａｃｃｅｓｓ　Ｃｏｎｔｒｏｌ）アドレスを持たせ、１つの物理的ネットワークポートを持たせる。
【００１４】
回線切換器１２は、上記のように、ＮＩＣのネットワークポートとの接続用ポートを１ポート用意し、ネットワーク接続用にＮ個のポートを用意する。ネットワーク接続用ポートは、それぞれ固有のＭＡＣアドレスを設定し、各ネットワーク系統との接続に使用する。
【００１５】
これにより、ＬＡＮ系統１との伝送データはＮＩＣのＭＡＣアドレス１に対して振り分け、ＬＡＮ系統２との伝送データはＮＩＣのＭＡＣアドレス２に対して振り分けるなど、各ＬＡＮ系統とＭＡＣアドレスを対応させた振り分けを行う。これにより、回線切換器１２パーソナルコンピュータ１１間の伝送には、スイッチングハブで用いられるスイッチング処理をベースにＭＡＣアドレス同士を関連付けた伝送を行う。
【００１６】
したがって、本実施形態によれば、パーソナルコンピュータ１１は、１枚のＮＩＣを接続することで済み、その内部バスの節約が可能となるし、ハードウェア割り込み点数の削減が可能となる。また、コンピュータ筺体の背面には煩雑なネットワークケーブル敷設が不要になり、そのスペース確保等の問題が解消される。さらに、多数のネットワークへの接続に際し、追加するハードウェアの点数を削減できる。
【００１７】
なお、実施形態では、パーソナルコンピュータ１１と多数のＬＡＮ系統との接続の場合を示すが、これは図３におけるコンピュータ１と入出力装置群５の間の伝送やネットワーク４の間の伝送に適用して同等の作用効果を得ることができる。
【００１８】
なお、本実施形態では、パーソナルコンピュータを監視制御システムの監視制御処理手段として使用した場合を示すが、パーソナルコンピュータを物流管理システムなど、多数のＬＡＮ系統と接続するシステムに適用して同等の作用効果を得ることができる。
【００１９】
【発明の効果】
以上のとおり、本発明によれば、パーソナルコンピュータにはそのバススロットに複数のＭＡＣアドレスをもつ１つのＮＩＣを設けて１つの物理的ネットワークポートを振り分け、これに接続するコンピュータ接続用ポートと複数のネットワーク接続用ポートをもつ回線切換器を設け、各ネットワーク接続用ポートには固有のＭＡＣアドレスを設定するようにしたため、パーソナルコンピュータに多数のネットワーク系統を接続するのに、１つのスロットで多数のネットワーク系統を接続できる。また、ハードウェア割り込み点数の拡大、ネットワークケーブルの敷設数の削減、多数のネットワーク系統との接続のためのハードウェア点数の削減ができる。
【図面の簡単な説明】
【図１】本発明の実施形態を示す多重化ＬＡＮシステムの要部結線図。
【図２】実施形態における伝送処理模式図。
【図３】多重化ＬＡＮによる監視制御システムの構成例。
【符号の説明】
１…監視制御用コンピュータ
２…監視制御系統ＬＡＮ
３…監視制御対象群
４…ネットワーク
５…入出力機器群
６…ＯＡ系ＬＡＮ
１１…パーソナルコンピュータ
１１Ａ…ネットワークポート
１２…回線切換器
１２Ａ…コンピュータ接続用ポート
１２Ｂ…ネットワーク接続用ポート
【図１】
2004080284.tif 000003
【図２】
2004080284.tif 000004
【図３】
2004080284.tif 000005